【事件の表示】
　特許第３３２０６８３号「冷蔵庫及び冷蔵庫扉の収納装置」の請求項１ないし４に係る特許に対する特許異議の申立てについて、次のとおり決定する。
【結　論】
　訂正を認める。
　特許第３３２０６８３号の請求項１ないし４に係る特許を維持する。
【理　由】
１．訂正の適否
１−１　訂正の内容
・訂正事項ａ
　特許請求の範囲の請求項１の
「このポケットの本体内を前ポケット及び後ポケットに仕切り、左右端部がそれぞれ上記ポケット本体の両側面部に一体に接続され、上記前ポケットに収納された重量物による上記ポケット本体の湾曲を規制して上記係合部の外れを防止する仕切り板とを備え、」を、
「このポケットの本体内を
上記前面部側の
上記後方開口側の
上記係合部よりも上記前面部側に設けられ、下部が上記底面部まで設けられるとともに
と訂正する。
　
・訂正事項ｂ
　特許請求の範囲の請求項４の
「このポケットの本体内を前ポケット及び後ポケットに仕切り、左右端部がそれぞれ上記ポケット本体の両側面部に一体に接続され、上縁部の肉厚が下部よりも厚く形成され、上記前ポケットに収納された重量物による上記ポケット本体の湾曲を規制して上記係合部の外れを防止する仕切り板とを備え、」を、
「このポケットの本体内を
上記前面部側の
上記後方開口側の
上記係合部よりも上記前面部側に設けられ、下部が上記底面部まで設けられるとともに
と訂正する。
　
・訂正事項ｃ
（１）明細書中段落番号【０００７】の
「この発明の第１の発明に係る冷蔵庫は、冷蔵庫本体を開閉する扉体の内側に側部が係合して支持され、上方及び後方が開口するポケットを着脱可能に設け、このポケット本体内を前後に仕切り、左右端部がそれぞれポケット本体の両側面部に一体成形され、上記前ポケットに収納された重量物による上記ポケット本体の湾曲を規制して上記係合部の外れを防止する仕切り板を備え、この仕切り板に段差を設けたものである。」を、
「この発明の第１の発明に係る冷蔵庫は、冷蔵庫本体
に設けられ、収納物を冷却する室を開閉する扉体と、この扉体の内側の周縁部の下部に設けられ、かつ上記周縁部の縦周縁部に側部が係合して支持され、前面部、底面部及び両側面部を有し、上方及び後方が開口して収納物を収納するとともに、上記縦周縁部に挿入される部分の幅が前部よりも狭く形成され、上記扉体に着脱可能に設けられたポケットと、このポケットの本体内を上記前面部側の前ポケット及び上記後方開口側の後ポケットに仕切り、上記係合部よりも上記前面部側に設けられ、下部が上記底面部まで設けられるとともに左右端部がそれぞれ上記ポケット本体の両側面部に一体に接続され、
と訂正する。
（２）明細書中段落番号【００１０】の
「また、第４の発明に係る冷蔵庫は、冷蔵庫本体を開閉する扉体の内側に側部が係合して支持され、前面部、底面部及び両側面部を有し、上方及び後方が開口するポケットを着脱可能に設け、このポケット本体内を前後に仕切り、左右端部がそれぞれポケット本体の両側面部に一体成形され、上縁部の肉厚が下部よりも厚く形成され、上記前ポケットに収納された重量物による上記ポケット本体の湾曲を規制して上記係合部の外れを防止する仕切り板とを備え、この仕切り板の上端部を上記ポケット本体の上端部よりも低くしたものである。」を
「また、第４の発明に係る冷蔵庫は、
冷蔵庫本体に設けられ、収納物を冷却する室を開閉する扉体と、この扉体の内側の周縁部の下部に設けられ、かつ上記周縁部の縦周縁部に側部が係合して支持され、前面部、底面部及び両側面部を有し、上方及び後方が開口して収納物を収納するとともに、上記縦周縁部に挿入される部分の幅が前部よりも狭く形成され、上記扉体に着脱可能に設けられたポケットと、このポケットの本体内を上記前面部側の前ポケット及び上記後方開口側の後ポケットに仕切り、上記係合部よりも上記前面部側に設けられ、下部が上記底面部まで設けられるとともに左右端部がそれぞれ上記ポケット本体の両側面部に一体に接続され、
と訂正する。
（３）明細書中段落番号【００２６】の
「以上説明したとおり、この発明の第１発明では、冷蔵庫の扉体の内側に着脱可能に設けられ上方及び後方が開口するポケット本体内に、その両側面部に一体成形され、上記前ポケットに収納された重量物による上記ポケット本体の湾曲を規制して上記係合部の外れを防止する仕切り板を備え、この仕切り板に段差を設けたため、」を、
「以上説明したとおり、この発明の第１発明では、冷蔵庫
本体に設けられ、収納物を冷却する室を開閉する扉体と、この扉体の内側の周縁部の下部に設けられ、かつ上記周縁部の縦周縁部に側部が係合して支持され、前面部、底面部及び両側面部を有し、上方及び後方が開口して収納物を収納するとともに、上記縦周縁部に挿入される部分の幅が前部よりも狭く形成され、上記扉体に着脱可能に設けられたポケットと、このポケットの本体内を上記前面部側の前ポケット及び上記後方開口側の後ポケットに仕切り、上記係合部よりも上記前面部側に設けられ、下部が上記底面部まで設けられるとともに左右端部がそれぞれ上記ポケット本体の両側面部に一体に接続され、
　
１−２　訂正の適否
・訂正事項ａ、ｂについて
　上記訂正事項ａ、ｂの「このポケットの本体内を上
記前面部側の
記後方開口側の
　また、訂正事項ａ、ｂの「
上記係合部よりも前記前面部側に設けられ、下部が上記底面部まで設けられるとともに
　ここで、上記訂正事項ａ、ｂの「このポケットの本体内を上
記前面部側の
記後方開口側の
　また、上記訂正事項ａ、ｂの「
上記係合部よりも上記前面部側に設けられ、下部が上記底面部まで設けられるとともに
　
　以上のとおりであるから、上記訂正事項ａ、ｂによる訂正は、特許法等の一部を改正する法律（平成６年法律第１１６号。以下「平成６年改正法」という。）附則第６条第１項の規定によりなお従前の例のよるとされる、特許法第１２０条の４第３項において準用する平成６年改正法による改正前の特許法第１２６条第１項ただし書、第２項及び第３項の規定に適合するので、当該訂正を認める。
　また、他の訂正事項ｃによる訂正についても上記規定に適合するので当該訂正を認める。
　
２．異議申立てについての判断
２−１　本件発明
　上記の通り、訂正は認められるから、本件の請求項１〜４に係る発明（以下、請求項１〜４に係る発明をそれぞれ「本件発明１」〜「本件発明４」という。）は、訂正された特許明細書の請求項１〜４に記載された次のとおりのものである。
　
「【請求項１】　冷蔵庫本体に設けられ、収納物を冷却する室を開閉する扉体と、この扉体の内側の周縁部の下部に設けられ、かつ上記周縁部の縦周縁部に側部が係合して支持され、前面部、底面部及び両側面部を有し、上方及び後方が開口して収納物を収納するとともに、上記縦周縁部に挿入される部分の幅が前部よりも狭く形成され、上記扉体に着脱可能に設けられたポケットと、このポケットの本体内を上記前面部側の前ポケット及び上記後方開口側の後ポケットに仕切り、上記係合部よりも上記前面部側に設けられ、下部が上記底面部まで設けられるとともに左右端部がそれぞれ上記ポケット本体の両側面部に一体に接続され、上記前ポケットに収納された重量物による上記ポケット本体の湾曲を規制して上記係合部の外れを防止する仕切り板とを備え、この仕切り板に段差を設けたことを特徴とする冷蔵庫。
【請求項２】　段差は前方に出ていることを特徴とする請求項１記載の冷蔵庫。
【請求項３】　段差は前後方向に出ていることを特徴とする請求項１記載の冷蔵庫。
【請求項４】　冷蔵庫本体に設けられ、収納物を冷却する室を開閉する扉体と、この扉体の内側の周縁部の下部に設けられ、かつ上記周縁部の縦周縁部に側部が係合して支持され、前面部、底面部及び両側面部を有し、上方及び後方が開口して収納物を収納するとともに、上記縦周縁部に挿入される部分の幅が前部よりも狭く形成され、上記扉体に着脱可能に設けられたポケットと、このポケットの本体内を上記前面部側の前ポケット及び上記後方開口側の後ポケットに仕切り、上記係合部よりも上記前面部側に設けられ、下部が上記底面部まで設けられるとともに左右端部がそれぞれ上記ポケット本体の両側面部に一体に接続され、上縁部の肉厚が下部よりも厚く形成され、上記前ポケットに収納された重量物による上記ポケット本体の湾曲を規制して上記係合部の外れを防止する仕切り板とを備え、この仕切り板の上端部を上記ポケット本体の上端部よりも低くしたことを特徴とする冷蔵庫。」
　
２−２　取消理由通知で引用された刊行物に記載された発明
・刊行物１：特開平４−２７３９７９号公報（異議申立人の提出した甲第４号証）
・刊行物２：特開平１−２１９４８３号公報（同甲第５号証）
・刊行物３：実公平３−２０７１３号公報
・刊行物４：実願昭５３−１２１５５２号（実開昭５５−３９４０３号）のマイクロフィルム（同甲第３号証）
　
　刊行物１には、以下の事項が図面とともに記載されている。
「この冷蔵室扉４には、その内側である扉内板７の周縁部に沿って断面略台形状の土手部８が、互いの対向面を平行となるように形成され、また、その扉内板７の下部には、コーラなどのＰＥＴボトルやビール瓶などを収納するポケット部材（ポケット）１が着脱自在に設置される。」（第２頁２欄末行〜第３頁３欄５行）
　
「【００１３】一方、合成樹脂などから成るポケット部材１は、図５に示すように、断面形状が略Ｌ字状に形成され、ポケット部前板１ａおよびこれの底端辺からほぼ直角に延びるポケット部底板１ｂを有し、その上、横方向両端部に、ポケット部側壁（側壁）１ｃを有している。
ポケット部材１の各部位１ａ・１ｂ・１ｃは一体成形されており、ポケット部前板１ａの横方向の長さは、各縦方向土手部８ａ・８ａ対向面間の距離より少し長く設定され、また、ポケット部底板１ｂの奥行きは、ポケット部材１が設置された際にポケット部前板１ａが土手部８の各頂部を結んだ線より少し突出する長さに設定されている。」（第３頁３欄３２〜４３行）
　
「【００１６】そして、ポケット部内側側面１ｅから延長して延びるように内板凸部用係合片（突出部材）１３が形成されている。なお、上記内側面凸部用係合片１２の長さはポケット部側面１ｄより外側にはみ出さないように設定され、一方、内板凸部用係合片１３の長さは前記内板凸部１１の前方向の長さより小さくなるように設定されている。
【００１７】このようなポケット部材１および扉内板７において、ポケット部材１の扉内板７への設置は次のようにして行われる。まず、ポケット部材１をポケット部前板１ａを手前にして上方から、図１に示すように、ポケット部側面１ｄの後方に連なって形成されているポケット部内側側面１ｅ、土手部頂部受け面１４および内側面凸部用係合片１２とにより構成される係合凹部に土手部頂部８ｄおよび内側面凸部１０を挟み込むように嵌合させると同時に、各内板凸部１１・１１をそれぞれ左右外側から挟むように各内板凸部用係合片１３・１３を挿入し、次に図３に示す横方向土手部８ｃにポケット部底板１ｂを当接させることにより、ポケット部材１の設置が行われる。」（第３頁４欄１５〜３４行）
　
「【００２０】一方、ポケット部材１が設置された冷蔵室用扉４にビール瓶等のビン類などの被収納物を収納して、その冷蔵室用扉４を強くいきよいよく開けると、その被収納物の慣性により、ポケット部材１の前方向に膨らむように変形しようとする力が加わる。このとき、そのような力によって、ポケット部材１における各内板凸部用係合片１３・１３を近づけようとする動きを生じるが、各内板凸部１１・１１によってそのような動きは規制される。よって、内側面凸部用係合片１２と当接している内側面凸部１０が内側面凸部用係合片１２から外れようとするポケット部側壁１ｃの変形も規制されることから、内側面凸部１０と内側面凸部用係合片１２との係合状態も従来より保持されることになる。これらの結果、ポケット部材１の扉内板７からの脱落を有効に防止することができる。」（第４頁５欄１〜１５行）
　
　上記記載及び図面を参照すれば、刊行物１には、冷蔵庫本体に設けられ、収納物を冷却する室を開閉する冷蔵室用扉と、この扉の内側の土手部の下部に設けられ、かつ上記土手部の縦方向土手部に側部が係合して支持され、ポケット部前板、ポケット部底板及び両ポケット部側壁を有し、上方及び後方が開口して収納物を収納するとともに、上記縦方向土手部に挿入される部分の幅がポケット部前板よりも狭く形成され、上記扉に着脱可能に設けられたポケット部材と、上記ポケット部材に収納された重量物による上記ポケット部材の湾曲を規制して上記係合部の外れを防止する手段とを備えた冷蔵庫が記載されている。
　
　刊行物２には、以下の事項が図面とともに記載されている。
「　第１図において、１１は貯蔵棚、１２は側壁、１３は前壁、１４は側壁１２に設けられた案内レール、１５はボトルストッパ、１６は前壁１３に設けられたボトルストッパ１５を収納する収納部、１７は貯蔵棚６をドア内箱５に取り付ける為の嵌合部である。第２図において１８はボトルストッパ１５両端に設けたスライダー部である。」（第２頁右上欄１２〜１８行）　
　
「さらに、扉内に充填された断熱材が冷却され、ドア内箱が収縮した際、ボトルストッパが梁の役割を果たし貯蔵棚のそりを無くすことができ、使い勝手の良い、構造的にも優れた冷蔵庫を実現できるものである。」（第２頁右下欄５〜９行）　
　
　上記記載及び図面を参照すれば、刊行物２には、左右端部がそれぞれ貯蔵棚本体の両側面部に接続されたボトルストッパを設けることにより、貯蔵棚の変形を防止する手段が記載されているといえる。
　
　刊行物３には、以下の事項が図面とともに記載されている。
「そして、６は弾性変形可能な棒材から成る仕切り部材で、詳細には第２図に実線で示すように、左、右両端部の支軸部７，７と、これら両支軸部７，７から直角方向上方に延設された腕部８，８と、これら両腕部８，８の先端部間に延設されその一部（第２図では右部）に腕部８の延び方向に対し直角方向前方に指向したコ宇状部９を有して受部１０とを一体に備えて成り、その両支軸部７，７を前記ポケット本体部３におけるポケット受部５の左、右両側壁部に形成した孔部１１（第２図に片側のみ示す）に挿入することにより回動可能に支持されている。・・・・・而して、上記仕切り部材６は、第２図及び第３図に実線で示すように腕部８が第１の保持部１２に保持されコ字状部９の先端部が前方に指向した第１の位置と、・・・・・との３形態を採ることができるようになっている。
　斯様に構成したポケット装置によれば、次の様に使い分けることができる。即ち、
（イ）仕切り部材６を第１の位置に位置させた場合には、ポケット本体部３内が第４図ａ及びｂに示すように仕切られ、これによりポケツト本体部３内にあって受部１０により区画された中の左前部には小さな収納物１４を、又、右部には大きな収納物１５を、更に左奥部には中位の大きさの収納物１６を夫々の移動や倒れを極力阻止する形態で収納することができる。」（第２頁３欄１０〜４欄７行）　
　
　刊行物４には、以下の事項が図面とともに記載されている。
「先ず、第１図に示す如く、冷蔵庫の開閉扉１には両側縁部より起立するように延出された隔壁４’，４’によってドアバツク２が区画形成されており、このドアバツク２の上方部に本考案の収納棚３が形成されることになる。
　図示例にあってはドアバツク２の上方部にはその中央を二分割する如き隔壁４が縦方向に沿って起立している。この隔壁４によって区画された部分に棚部材３が略水平に支持される。この棚部材３は第１図及び第２図Ａ，Ｂに示す如く略矩形状の容器を呈する。この棚部材３のドアバツクの内壁５に隣接する部分６にはチューブ状容器７を収納するための収納部８が形成される。この収納部８は略Ｕ字形状の開口部９を有する有底孔１０によつて形成されている。特に、ドアバツク２の内壁５に接する部分６は開放される如く切欠されている。また、この有底孔１０は内壁５に沿つて複数個並ぶように棚部材３に設けられている。」（明細書第４頁７行〜第５頁４行）　
  そして、第２図（Ｂ）には、収納部８を形成する仕切壁の上端部を収納棚本体の上端部よりも低くした点が示されている。
　
２−３　対比・判断
・本件発明１について
　本件発明１と刊行物１に記載された発明とを対比すると、刊行物１に記載された「冷蔵室用扉４」は、本件発明１〜４の「扉体」に相当し、以下同様に「土手部８」は「周縁部」に、「縦方向土手部８ａ」は「縦周縁部」に、「ポケット部前板１ａ」は「前面部」に、「ポケット部底板１ｂ」は「底面部」に、「ポケット部側壁１ｃ」は「側面部」に、「ポケット部材１」は「ポケット」に、それぞれ相当するから、
　両者は、
「冷蔵庫本体に設けられ、収納物を冷却する室を開閉する扉体と、この扉体の内側の周縁部の下部に設けられ、かつ上記周縁部の縦周縁部に側部が係合して支持され、前面部、底面部及び両側面部を有し、上方及び後方が開口して収納物を収納するとともに、上記縦周縁部に挿入される部分の幅が前部よりも狭く形成され、上記扉体に着脱可能に設けられたポケットと、上記ポケットに収納された重量物による上記ポケット本体の湾曲を規制して上記係合部の外れを防止する手段とを備えた冷蔵庫。」である点で一致し、次の点で相違する。
　
［相違点ａ］本件発明１は、ポケットの本体内を上記前面部側の前ポケット及び上記後方開口側の後ポケットに仕切り、上記係合部よりも上記前面部側に設けられ、下部が上記底面部まで設けられるとともに左右端部がそれぞれ上記ポケット本体の両側面部に一体に接続された仕切り板を備え、該仕切り板を、上記前ポケットに収納された重量物による上記ポケット本体の湾曲を規制して上記係合部の外れを防止する手段とするとともに、この仕切り板に段差を設けたのに対して、刊行物１に記載された発明では、ポケット本体の湾曲を規制して上記係合部の外れを防止する手段として、仕切板を設けることなく、扉内板に、ポケット部側壁後端に設けた内板凸部用係合片が係合する内板凸部を設けた点。
　
　上記相違点ａについて検討すると、刊行物２には、左右端部がそれぞれポケット本体の両側面部に接続されるボトルストッパを設けることによりポケットの変形を防止する手段が記載されており、また、刊行物３には、冷蔵庫扉体に設けられたポケットに前後に段差を設けた仕切部材を設けることにより、食品の形や大きさに合わせた分離利用ができるようにすることが記載されているものの刊行物２〜４の何れにも上記相違点ａにおける本件発明１の「上記係合部よりも上記全面部側に設けられ、下部が上記底面部まで設けられるとともに左右端部がそれぞれ上記ポケット本体の両側面部に一体に接続された仕切り板」について記載されておらず、示唆もされていない。
  そして、本件発明１は、上記構成を有することにより、前ポケットが彎曲変形しても仕切板によって係合部が設けられている後ポケット側面部のねじれ変形を防止し、係合部が外れるのを防止するという格別の作用効果を奏するものである。
  したがって、本件発明１は、刊行物１〜４に記載された発明の基づいて当業者が容易に発明をすることができたものとすることはできない。
　
・本件発明２、３について
  本件発明２は、請求項１を引用し、さらに、「段差は前方に出ている」なる構成を付加、限定するものであり、また、本件発明３は、請求項１を引用し、さらに、「段差は前後方向に出ている」なる構成を付加、限定するものであるから、本件発明１と同様に刊行物１〜４に記載された発明に基づいて当業者が容易に発明をすることができたとすることはできない。
　
・本件発明４について
　本件発明４と刊行物１に記載された発明とを対比すると、
　両者は、
「冷蔵庫本体に設けられ、収納物を冷却する室を開閉する扉体と、この扉体の内側の周縁部の下部に設けられ、かつ上記周縁部の縦周縁部に側部が係合して支持され、前面部、底面部及び両側面部を有し、上方及び後方が開口して収納物を収納するとともに、上記縦周縁部に挿入される部分の幅が前部よりも狭く形成され、上記扉体に着脱可能に設けられたポケットと、上記ポケットに収納された重量物による上記ポケット本体の湾曲を規制して上記係合部の外れを防止する手段とを備えた冷蔵庫。」である点で一致し、次の点で相違する。
　
［相違点ｂ］本件発明４は、ポケットの本体内を上記前面部側の前ポケット及び上記後方開口側の後ポケットに仕切り、上記係合部よりも上記全面部側に設けられ、下部が上記底面部まで設けられるとともに左右端部がそれぞれ上記ポケット本体の両側面部に一体に接続され、上縁部の肉厚が下部よりも厚く形成された仕切り板を備え、該仕切り板を、上記前ポケットに収納された重量物による上記ポケット本体の湾曲を規制して上記係合部の外れを防止する手段とするとともに、この仕切り板の上端部を上記ポケット本体の上端部よりも低くしたのに対して、刊行物１に記載された発明では、ポケット本体の湾曲を規制して上記係合部の外れを防止する手段として、仕切板を設けることなく、扉内板に、ポケット部側壁後端に設けた内板凸部用係合片が係合する内板凸部を設けた点。
　
　上記相違点ｂについて検討すると、刊行物２には、左右端部がそれぞれポケット本体の両側面部に接続されるボトルストッパを設けることによりポケットの変形を防止する手段が記載されており、また、刊行物４には、冷蔵庫扉体に設けられたポケット（収納棚）に、上端部をポケット本体の上端部よりも低くした仕切壁を設けたものが記載されているものの刊行物２〜４の何れにも上記相違点ｂにおける本件発明４の「上記係合部よりも上記前面部側に設けられ、下部が上記底面部まで設けられるとともに左右端部がそれぞれ上記ポケット本体の両側面部に一体に接続された仕切り板」について記載されておらず、示唆もされていない。
  そして、本件発明４は、上記構成を有することにより、前ポケットが彎曲変形しても仕切板によって係合部が設けられている後ポケット側面部のねじれ変形を防止し、係合部が外れるのを防止するという格別の作用効果を奏するものである。
  したがって、本件発明４は、刊行物１〜４に記載された発明の基づいて当業者が容易に発明をすることができたものとすることはできない。
　
　また、異議申立人の提出した他の証拠をみても、本件発明１〜４が、それらの証拠及び上記刊行物１〜４に基づいて当業者が容易に発明をすることができたとすることはできない。
　
３．むすび
　以上のとおりであるから、特許異議申立の理由及び証拠によっては、本件発明についての特許を取り消すことはできない。
　また、他に本件発明についての特許を取り消すべき理由を発見しない。
  したがって、本件発明についての特許は拒絶の査定をしなければならない特許出願に対してされたものとは認めない。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、上記のとおり決定する。　
【異議決定日】
平成１５年１０月２１日（２００３．１０．２１）
【訂正の要旨】
審決（決定）の【理由】欄参照。
（５４）【発明の名称】
冷蔵庫及び冷蔵庫扉の収納装置
（５７）【特許請求の範囲】
　【請求項１】　冷蔵庫本体に設けられ、収納物を冷却する室を開閉する扉体と、この扉体の内側の周縁部の下部に設けられ、かつ上記周縁部の縦周縁部に側部が係合して支持され、前面部、底面部及び両側面部を有し、上方及び後方が開口して収納物を収納するとともに、上記縦周縁部に挿入される部分の幅が前部よりも狭く形成され、上記扉体に着脱可能に設けられたポケットと、このポケットの本体内を
上記前面部側の
上記後方開口側の
上記係合部よりも上記前面部側に設けられ、下部が上記底面部まで設けられるとともに
　【請求項２】　段差は前方に出ていることを特徴とする請求項１記載の冷蔵庫。
　【請求項３】　段差は前後方向に出ていることを特徴とする請求項１記載の冷蔵庫。
　【請求項４】　冷蔵庫本体に設けられ、収納物を冷却する室を開閉する扉体と、この扉体の内側の周縁部の下部に設けられ、かつ上記周縁部の縦周縁部に側部が係合して支持され、前面部、底面部及び両側面部を有し、上方及び後方が開口して収納物を収納するとともに、上記縦周縁部に挿入される部分の幅が前部よりも狭く形成され、上記扉体に着脱可能に設けられたポケットと、このポケットの本体内を
上記前面部側の
上記後方開口側の
上記係合部よりも上記前面部側に設けられ、下部が上記底面部まで設けられるとともに
【発明の詳細な説明】
　【０００１】
　【発明の属する技術分野】
　この発明は、冷蔵庫の扉に取り付けられビン等を収納する装置に関するものである。
　【０００２】
　【従来の技術】
　図７〜図９は、例えば実開平３−１２４１８８号公報に示された従来の冷蔵庫扉の収納装置を示す図で、図７は開扉正面図、図８は図７の収納ポケット部の要部縦断面図、図９は前ポケットの湾曲説明図である。
　【０００３】
　図において、（１）は冷蔵庫本体、（２）は冷蔵庫本体（１）の冷蔵室、（３）は冷蔵室（２）を開閉する扉、（４）は扉（３）の裏側に設けられた扉内板、（５）は扉内板（４）の周縁部で、互いに平行する縦周縁部（５ａ）及び互いに平行する横周縁部（５ｂ）からなっており、扉（３）の裏側から突出している。（６）は周縁部（５）の下部に設けられた前ポケット、（７）は扉内板（４）の中央部に設けられ縦方向に延在する支持部、（８）は支持部（８）と縦周縁部（５ａ）との間に設けられた上下２段の後ポケットである。
　【０００４】
　従来の冷蔵庫扉の収納装置は上記のように構成され、前ポケット（６）は縦周縁部（５ａ）と横周縁部（５ｂ）により支持されており、前ポケット（６）にはビン等の比較的大形で重い物品が収納される。また、後ポケット（８）には小物品が収納される。このようにして、収納性の向上を図るようにしている。
　【０００５】
　【発明が解決しようとする課題】
　上記のような従来の冷蔵庫扉の収納装置では、図９に示すように縦周縁部（５ａ）の内側に縦方向に延在する凸部（５ｃ）が形成され、これに前ポケット（６）の側面に形成された凹部（１１ｄ）が係合して前ポケット（６）を支持しているため、前ポケット（６）にビン等の比較的大形かつ重い物品が収納されると、前ポケット（６）が湾曲しやすく、凹部（１１ｄ）が凸部（５ｃ）から脱出する虞れがあるという問題点がある。
　【０００６】
　この発明は上記問題点を解消するためになされたもので、前ポケット及び後ポケットの強度を向上し、かつコストを低減することができるようにした冷蔵庫扉の収納装置を提供することを目的とする。
　【０００７】
　【課題を解決するための手段】
　この発明の第１の発明に係る冷蔵庫は、冷蔵庫本体
に設けられ、収納物を冷却する室を開閉する扉体と、この扉体の内側の周縁部の下部に設けられ、かつ上記周縁部の縦周縁部に側部が係合して支持され、前面部、底面部及び両側面部を有し、上方及び後方が開口して収納物を収納するとともに、上記縦周縁部に挿入される部分の幅が前部よりも狭く形成され、上記扉体に着脱可能に設けられたポケットと、このポケットの本体内を上記前面部側の前ポケット及び上記後方開口側の後ポケットに仕切り、上記係合部よりも上記前面部側に設けられ、下部が上記底面部まで設けられるとともに左右端部がそれぞれ上記ポケット本体の両側面部に一体に接続され、
　【０００８】
　また、第２の発明に係る冷蔵庫は、第１の発明のものにおいて、仕切り板の段差を前方に出ているようにしたものである。
　【０００９】
　また、第３の発明に係る冷蔵庫は、第１の発明のものにおいて、仕切り板の段差を前後方向に出ているようにしたものである。
　【００１０】
　また、第４の発明に係る冷蔵庫は、
冷蔵庫本体に設けられ、収納物を冷却する室を開閉する扉体と、この扉体の内側の周縁部の下部に設けられ、かつ上記周縁部の縦周縁部に側部が係合して支持され、前面部、底面音及び両側面部を有し、上方及び後方が開口して収納物を収納するとともに、上記縦周縁部に挿入される部分の幅が前部よりも狭く形成され、上記扉体に脱可能に設けられたポケットと、このポケットの本体内を上記前面部側の前ポケット及び上記後方開口側の後ポケットに仕切り、上記係合部よりも上記前面部側に設けられ、下部が上記底面部まで設けられるとともに左右端部がそれぞれ上記ポケット本体の両側面部に一体に接続され、
　【００１１】
　【００１２】
　【００１３】
　【００１４】
　【００１５】
　【００１６】
　【発明の実施の形態】
実施の形態１．
　図１及び図２はこの発明の第１〜第４の発明の一実施の形態を示す図で、図１は要部分解斜視図、図２は冷蔵庫の開扉正面図であり、従来装置と同様の部分は同一符号で示す（以下の実施の形態も同様）。
　【００１７】
　図において、（１０）は透明合成樹脂製のポケット、（１１）は上方及び後方が開口したポケット本体で、底面部（１１ａ）とその周縁を三方から包囲する前面部（１１ｂ）及び側面部（１１ｃ）を有し、側面部（１１ｃ）に扉内板（４）の縦周縁部（５ａ）に形成された凸部（５ｃ）に嵌入される凹部（１１ｄ）が形成されている。（１２）はポケット本体（１１）内を前ポケット（１３）及び後ポケット（１４）に仕切る仕切り板で、その両端は側面部（１１ｃ）（１１ｃ）に接続されている。（１２ａ）は仕切り板（１２）に設けられた模様線である。
　【００１８】
　上記のように構成された冷蔵庫扉の収納装置においては、仕切り板（１２）でポケット本体（１１）内を前ポケット（１３）及び後ポケット（１４）に仕切ることにより、前ポケット（１３）にはビン等の比較的大形で重い物品を収納し、後ポケット（１４）に小物品等を収納するなど、分離利用が可能である。また、後ポケット（１４）の後方は開口しており、壁等の部材はないため、収納容積は大きい。
　【００１９】
　ポケット本体（１１）の側面部（１１ｃ）は、内側からの仕切り板（１２）の接続による支持と、外側からの凹部（１１ｄ）と凸部（５ｃ）との嵌入により挟持され変形が抑制されている。また、前ポケット（１３）に重量物を収納し、ポケット本体（１１）が重量のため湾曲しようとしても、仕切り板（１２）が側面部（１１ｃ）（１１ｃ）に接続支持されているため、湾曲が規制されポケット本体（１１）の変形、凹部（１１ｄ）と凸部（５ｃ）の外れは防止される。そのため、ポケット本体（１１）の肉厚を従来品よりも薄くしても、ポケット本体（１１）として必要な強度を保つことが可能となる。
　【００２０】
実施の形態２．
　図３及び図４はこの発明の第１の発明の他の実施の形態を示す図で、図３は金型の縦断面図、図４は図３のＩＶ−ＩＶ線断面図である。
　図において、（１６）は図１に示すポケット本体（１１）及び仕切り板（１２）を成形する金型で、ポケット本体（１１）の底面部（１１ａ）、前面部（１１ｂ）、側面部（１１ｃ）の前部の各外面を成形する下部金型（１６ａ）、前ポケット（１３）の各内面を成形する前部金型（１６ｂ）、後ポケット（１４）の各内面及び模様線（１２ａ）を成形する後部金型（１６ｃ）及び側面部（１１ｃ）の後部及び凹部（１１ｄ）を成形する側部金型（１６ｄ）により構成されている。
　【００２１】
　各金型（１６ａ）〜（１６ｄ）により形成される間隙（１７）に熱可塑性透明合成樹脂材料が注入されてポケット（１０）が成形される。成形後、下部金型（１６ａ）は矢印Ａが示す下方向へ、前部金型（１６ｂ）は矢印Ｂが示す上方向へ、後部金型（１６ｃ）は矢印Ｃが示すポケット本体（１１）の後方へ、側部金型（１６ｄ）は矢印Ｄが示す横方向へ抜かれる。
　【００２２】
　このようにして、ポケット本体（１１）及び仕切り板（１２）は一体成形され一部品で済み、金型コストが安くなる。また、模様線（１２ａ）（文字、図形等でもよく、これらを凸設又は凹設することは自在である）が透明合成樹脂を透視して見ることができ、見栄えの良いものとすることが可能となる。
　なお、図１に示すポケット本体（１１）の幅は、縦周縁部（５ａ）に挿入される部分が前部よりも狭く形成されているが、これが前部と同幅の場合は、側部金型（１６ｄ）（１６ｄ）は不要である。
　【００２３】
実施の形態３．
　図５はこの発明の第１の発明の他の実施の形態を示す要部斜視図である。
　この実施の形態では、ポケット本体（１１）及び仕切り板（１２）は実施の形態２で示したように、透明合成樹脂で一体成形されており、仕切り板（１２）の側面部（１１ｃ）との接続支持部（１２ｂ）は、ポケット本体（１１）が周縁部（５）に装着されたとき、縦周縁部（５ａ）の内側に隠れるように配置されている。また、仕切り板（１２）の下端部（１２ｃ）とポケット本体（１１）の底面部（１１ａ）との間には間隔が設けられている。
　【００２４】
　透明なポケット本体（１１）は収納物品が一見して分かると同時に、外観も優れている。また、仕切り板（１２）の接続支持部（１２ｂ）は外部からは見えないので、見栄えは良い。
　また、仕切り板（１２）の下端部（１２ｃ）とポケット本体（１１）の底面部（１１ａ）との間の間隔は、狭いポケット本体（１１）内の清掃に役立つ。
　【００２５】
実施の形態４．
　図６はこの発明の第２の発明の一実施の形態を示す仕切り板の要部拡大縦断面図である。
　この実施の形態では、仕切り板（１２）の上縁部（１２ｄ）の肉厚を下部よりも厚く形成したものである。
　ポケット本体（１１）の側面部（１１ｃ）は下部よりも上部の方が、ポケット本体（１１）の湾曲時に変形しやすいが、仕切り板（１２）の上縁部（１２ｄ）で側面部（１１ｃ）の上部は下部よりも強く支持されるため、変形に対する強度が向上する。
　【００２６】
　【発明の効果】
　以上説明したとおり、この発明の第１発明では、冷蔵庫
本体に設けられ、収納物を冷却する室を開閉する扉体と、この扉体の内側の周縁部の下部に設けられ、かつ上記周縁部の縦周縁部に側部が係合して支持され、前面部、底面部及び両側面部を有し、上方及び後方が開口して収納物を収納するとともに、上記縦周縁部に挿入される部分の幅が前部よりも狭く形成され、上記扉体に着脱可能に設けられたポケットと、このポケットの本体内を上記前面部側の前ポケット及び上記後方開口側の後ポケットに切り、上記係合部よりも上記前面部側に設けられ、下部が上記底面部まで設けられるとともに左右端部がそれぞれ上記ポケット本体の面側面部に一体に接続され、
　【００２７】
　また、第２の発明では、仕切り板の段差を前方に出ているようにし、第３の発明では、段差を前後方向に出ているようにしたため、食品の形や大きさに合わせた分離利用ができる効果がある。
　【００２８】
　また、第４の発明では、仕切り板の上端部をポケット本体の上端部よりも低くしたため、食品の形や大きさに合わせた分離利用ができる効果がある。
　【００２９】
　【００３０】
　【００３１】
　【００３２】
　【００３３】
【図面の簡単な説明】
　【図１】　この発明の実施の形態１を示す要部分解斜視図。
　【図２】　この発明の実施の形態１を示す冷蔵庫の開扉正面図。
　【図３】　この発明の実施の形態２を示すポケット成形用金型の縦断面図。
　【図４】　図３のＩＶ−ＩＶ線断面図。
　【図５】　この発明の実施の形態３を示す要部斜視図。
　【図６】　この発明の実施の形態４を示す仕切り板の要部拡大縦断面図。
　【図７】　従来の冷蔵庫扉の収納装置を示す開扉正面図。
　【図８】　図７の収納ポケット部の要部縦断面図。
　【図９】　図８の前ポケットの湾曲説明図。
　【符号の説明】
　１　冷蔵庫本体、３　扉、４　扉内板、５　扉内板の周縁部、１０　ポケット、１１　ポケット本体、１１ａ　ポケット本体底面部、１１ｂ　ポケット本体前面部、１１ｃ　ポケット本体側面部、１２　仕切り板、１２ａ　模様線、１２ｂ　仕切り板接続支持部、１２ｃ　仕切り板下端部、１２ｄ　仕切り板上縁部、１３　前ポケット、１４　後ポケット、１６　ポケット成形用金型、１６ａ　ポケット下部金型、１６ｂ　ポケット前部金型、１６ｃ　ポケット後部金型。